(57)【要約】【課題】、可撓性膜が破れても、少なくとも応急的なゲートの起立を可能とし、また、水路を遮断することなくゴム袋体の取替交換を可能とする起伏ゲートを提供する。【解決手段】河床幅に対応する長さを持ち、河床に対して起立および倒伏可能に枢支された剛性堰板２と、剛性堰板２の下流側で、それの枢支部に沿わせて配設された複数個の可撓性袋体３とにより構成され、可撓性袋体３に流体を供給することによって剛性堰板２を起立させ、流体を排出することによって剛性堰板２を倒伏させる。【選択図】図１
2006207132.tif 000002
【特許請求の範囲】
【請求項１】
河床幅に対応する長さを持ち、河床に対して起立および倒伏可能に枢支された剛性堰板と、剛性堰板の下流側で、それの枢支部に沿わせて配設され、内圧の給排に基づいて、剛性堰板の起立および倒伏作動を司る複数個の可撓性袋体とを具えてなる起伏ゲート。
【請求項２】
前記可撓性袋体を、中空帯状体を長手方向の中央部で二つ折りにして構成してなる請求項１に記載の起伏ゲート。
【請求項３】
前記可撓性袋体を、中空帯状体を長手方向の中央部で二つ折りにするとともに、長手方向の両端部を接合させて構成し、その接合端部を上流側に位置させて配設してなる請求項１に記載の起伏ゲート。
【請求項４】
前記可撓性袋体を、中空帯状体を長手方向の中央部で二つ折りにするとともに、長手方向の両端部を自由端として構成し、その折り曲げ部を上流側に位置させて配設してなる請求項１に記載の起伏ゲート。
【請求項５】
前記可撓性袋体を、河床または堰板に固定してなる請求項１〜４のいずれかに記載の起伏ゲート。
【発明の詳細な説明】
【技術分野】
【０００１】
本発明は、河床幅に対応する長さ持って河床に設置され、起立または倒伏によって上流側から下流側への水の流下を調節する起伏ゲートに関するものである。
【背景技術】
【０００２】
起伏ゲートには、河床幅に対応する長さ持ち、河床に対して起立および倒伏可能に枢支された剛性堰板を下流側から油圧シリンダーで支持して、油圧シリンダーの作動で剛性堰板を起立、倒伏するようにしたものがある。しかし、このような起伏ゲートは、油圧シリンダーが構造的に複雑であるために設備の設置と維持管理に多額の費用を要し、さらに、操作の面でも煩雑でかつ熟練を必要とするというように多くの問題がある。そのため、近年では、油圧シリンダー等を使用することなく、剛性堰板の下流側に膨張収縮自在に形成されたゴム袋体を枕状に取り付け、ゴム袋体の膨張収縮に応じて剛性堰板を起立、倒伏させるように構成した起伏ゲートが用いられている（例えば、特許文献１および特許文献２参照）。
【特許文献１】特開昭５８−２６１０８号公報
【特許文献２】特開２００１−２０２６１号公報
【発明の開示】
【発明が解決しようとする課題】
【０００３】
しかしながら、剛性堰板の下流側に取り付けられたゴム袋体が、上流側から剛性堰板を越えて流れてくる流木その他の漂流物による衝突や、ゴム袋自体の寿命によって破損し、収縮することによって、起伏ゲートが、意図しない倒伏状態に至るおそれがある。この場合、堰としての機能が損なわれて起伏ゲートによって堰き止められていた上流側の多量の水が急激に流出して下流側に害をもたらす事態も想定される。
【０００４】
また、ゴム袋体が破損した場合は、水路を一時遮断して流れを止めて、破損したゴム袋体を取替交換しなければならず、作業工程が複雑であり、コストもかかるなどの問題があった。
【０００５】
本発明は、このような問題点に鑑みてなされたものであり、本発明の目的は、ゴム袋体が破損しても、少なくとも応急的なゲートの起立を可能とし、また、水路を遮断することなくゴム袋体の取替交換を可能とする起伏ゲートを提供することにある。
【課題を解決するための手段】
【０００６】
上記目的を達成するため、本発明の起伏ゲートは、河床幅に対応する長さを持ち、河床に対して起立および倒伏可能に枢支された剛性堰板と、剛性堰板の下流側で、それの枢支部に沿わせて配設され、内圧の給排に基づいて、剛性堰板の起立および倒伏作動を司る複数個の可撓性袋体とを具えてなることを特徴とする。
【０００７】
本発明は、可撓性袋体を、中空帯状体を長手方向の中央部で二つ折りにして構成してなることが好ましい。また、可撓性袋体を、中空帯状体を長手方向の中央部で二つ折りにするとともに、長手方向の両端部を接合させて構成し、その接合端部を上流側に位置させて配設してなり、または、可撓性袋体を、中空帯状体を長手方向の中央部で二つ折りにするとともに、長手方向の両端部を自由端として構成し、その折り曲げ部を上流側に位置させて配設してなることが好ましい。さらに、可撓性袋体を、河床または堰板に固定してなることが好ましい。
【発明の効果】
【０００８】
本発明の起伏ゲートは、剛性堰板の下流側に複数個の可撓性袋体が剛性堰板の枢支部に沿わせて配設固定されているので、複数個の可撓性袋体のうちの１つが転石や、流木その他の漂流物の衝突や、袋自体の寿命によって可撓性袋体が破れても、他の残りの可撓性袋体によって剛性堰板の起立状態を維持することできる。したがって、起伏ゲートの意図しない倒伏によって、起伏ゲートの上流側の水が多量に流出して下流側に損害をもたらすようなことはない。
【０００９】
また、本発明の起伏ゲートは、複数個の可撓性袋体のうちの１つが漂流物の衝突や、袋自体の寿命によって可撓性袋体が破れても、他の残りの可撓性袋体によって剛性堰板の起立状態を維持することできるので、水路を一時遮断して流れを止めることなく、剛性堰板を起立状態としたまま、破れた可撓性袋体を新しい可撓性袋体と交換することができる。これらを実現するためには、可撓性袋体毎に給排気の配管が必要となる。これらの本数を減らすため、２系統にして1つおきに接続することもできる。このようにすると、隣り合った２つが損傷しない限り、機能を保つことができる。
【発明を実施するための最良の形態】
【００１０】
次に、本発明の実施の形態について図面を参照して説明する。図１は、本発明の第１の実施の形態に係る起伏ゲートの起立時の斜視図であり、図２は、起伏ゲートの倒伏時の斜視図であり、図３は、起伏ゲートの起立時の断面図である。
【００１１】
図１および図２に示すように、起伏ゲートは、河床幅に対応する長さを持ち、河床に対して起立および倒伏可能に枢支された剛性堰板２と、剛性堰板２の下流側で、それの枢支部に沿わせて列状に並べて配設された複数個の可撓性袋体３により構成され、可撓性袋体３に空気や水等の流体を供給することによって剛性堰板２を起立させて水路を閉め、流体を排出することによって剛性堰板２を倒伏させて水路を開く。なお、ここでは、可撓性袋体３を枢支部に沿わせて列状に並べて配設したが、可撓性袋体３を枢支部に沿わせて千鳥状または複数列に並べて配設しても良い。また、可撓性袋体３は、１つの可撓性袋体が破損しても残りの可撓性袋体で剛性堰板２の起立状態を維持できる構造的な強さを有するものとする。
【００１２】
剛性堰板２は、例えば、鋼製板、フレーム構造、箱型構造等で組み立てられたものであり、図３に示すように、河床コンクリート４に枢支部６によって、起立および倒伏可能に枢支されている。また、剛性堰板２は、剛性堰板２の長手方向に対して直交する方向の中間部において折れ曲がり、先端部近くで更に折れ曲がっていて、起伏ゲートが倒伏した時、剛性堰板２が、可撓性袋体３を完全に覆うような形状となっているが、折れ曲がらずに平板状の形状でも良い。図４は、剛性堰板２が、可撓性袋体３を覆った時の状態を示す倒伏時の断面図である。
【００１３】
剛性堰板２の長手方向の端部には取付部材５が設けられたおり、取付部材５には略三角形状のゴム膜体７の一辺が接着固定されている。ゴム膜体７の他の一辺は、法面部８に配設されたアンカーボルトにナットで固定されている。ゴム膜体７は、剛性堰板２の倒伏時には、図２に示すように、その全面が法面部８に接触して配設される。法面が垂直であればゴム膜体７を使用せず、取付部材５を法面に直接スライドさせることもできる。
【００１４】
可撓性袋体３は、図５に斜視図で例示するように、中空帯状体であり、長尺の２枚の可撓膜を、間に離形シートを挟んで重ね合わせ、離型シートを挟んでいない部分を加硫接着し、次に離形シートを抜き取って、抜き取られて開放された可撓膜の長手方向の両端部１７を閉止して形成される。図６は、中空帯状体の長手方向の中央部を二つ折りにして、閉止した両端部１７同士を加硫接合し、離形シートの位置に形成される内側空間に流体を供給して膨張させた状態を示す可撓性袋体の側面図である。
【００１５】
可撓性袋体３は、全厚１０〜４０ｍｍ程度のナイロン繊維補強ゴムからなり、流体が封入された状態で肉厚５〜２０ｍｍ程度の袋体となる。
【００１６】
図３に示すように、剛性堰板２の枢支部６の近くには、可撓性袋体３を取り付けるためのボルト孔が設けられており、可撓性袋体３は、中空帯状体の両端部同士を加硫接合した接合端部１８を上流側にして、剛性堰板２の下流側に位置させて配設され、剛性堰板２のボルト孔および可撓性袋体３の接合端部１８に形成されたボルト孔にボルト１４を貫通させ、ナット１５を螺合させることによって、剛性堰板２に固定される。可撓性袋体３と河床コンクリート４との間には、起伏ゲートが倒伏した時に転石等が可撓性袋体３の下に入り込まないように台座１０が配設されている。
【００１７】
また、剛性堰板２の下流側の枢支部６の近くには、可撓性袋体３の内部に空気や水等の流体を供給するための図示しない給排気手段が配設されており、可撓性袋体３は、給排気手段からの流体の供給によって膨張して剛性堰板を起立し、流体の排出によって収縮して剛性堰板を倒伏する。
【００１８】
可撓性袋体３は、図７に示すように、剛性堰板２の枢支部６の近くの河床コンクリート４に配設されたアンカーボルト１１に接合端部１８に形成されたボルト孔を貫通させ、ナット１２を螺合させて、河床コンクリート４に固定するようにしても良い。
【００１９】
また、上述した実施の形態では、中空帯状体の長手方向の両端部１７同士を予め加硫接合したが、可撓性袋体３を剛性堰板２あるいは河床コンクリート４に固定する際に、両端部１７同士を重ね合わせて、両端部に形成されたボルト孔にボルトを貫通させ、ナットを螺合させることによって、両端部１７同士を接合するようにしても良い。
【００２０】
次に、本発明の第２の実施の形態に係る起伏ゲートについて説明する。図８は、本発明の第２の実施の形態に係る起伏ゲートの起立時の斜視図である。第２の実施の形態に係る剛性堰板については、第１の実施の形態に係る剛性堰板と同様であるので説明は省略する。
【００２１】
可撓性袋体１３は、図５に斜視図で例示するように中空帯状体であり、長尺の２枚の可撓膜を、間に離形シートを挟んで重ね合わせ、離型シートを挟んでいない部分を加硫接着し、次に離形シートを抜き取って、抜き取られて開放された可撓膜の長手方向の両端部を閉止して形成される。図９は、中空帯状体の長手方向の中央部を二つ折りにして、長手方向の両端部１７を自由端とし、離形シートの位置に形成される内側空間に流体を供給して膨張させた状態を示す可撓性袋体の側面図である。
【００２２】
個々の可撓性袋体１３は、二つ折りにされ、折り曲げ部が上流側となるようにして剛性堰板２の下流側に列状に並べて配設され、折り曲げ部が、図１０に示すように、可撓性袋体１３毎に用意されたベルト状または棒状の取付手段２１で押さえられて剛性堰板２に固定される。なお、ここでは、可撓性袋体３を枢支部に沿わせて列状に並べて配設したが、可撓性袋体３を枢支部に沿わせて千鳥状または複数列に並べて配設しても良い。
【００２３】
図１１は、可撓性袋体１３が取付手段２１で剛性堰板２に固定されている状態を示す断面図である。剛性堰板２の枢支部６の近くには、取付手段２１を取り付けるためのボルト孔が設けられており、また、取付手段２１には、その両端に取付孔が形成されており、剛性堰板２のボルト孔および取付手段２１の取付孔にボルト１４を貫通させ、ナットを螺合させることによって、取付手段２１は、剛性堰板２に固定される。二つ折りにされた可撓性袋体１３は、取付手段２１が剛性堰板２に固定されることによって、折り曲げ部を取付手段２１で押さえられて剛性堰板２に固定される。可撓性袋体１３と河床コンクリート４との間には、起伏ゲートが倒伏した時に転石等が可撓性袋体３の下に入り込まないように台座１０が配設されている。
【００２４】
なお、可撓性袋体１３は、図１２に示すように、河床コンクリート４に、取付手段２１を取り付けるためのアンカーボルト１１を配設しておいて、可撓性袋体１３の折り曲げ部を取付手段２１で押さえ、取付手段２１に形成された取付孔にアンカーボルト１１を貫通させ、ナット１２を螺合させて河床コンクリート４に固定するようにしても良い。
【００２５】
また、上述した実施の形態では可撓性袋体１３毎に取付手段を用意して可撓性袋体１３を個別に取付手段で剛性堰板２または河床コンクリートに固定したが、複数個の可撓性袋体１３の折り曲げ部を、可撓性袋体１３の全てに亘る１つの取付手段で押さえて、全ての可撓性袋体１３をまとめて剛性堰板２または河床コンクリートに固定するようにしても良い。更に、上記取付手段としてパイプを使用し、給排気に利用しても良い。
【００２６】
上述した第１および第２の実施の形態に係る起伏ゲートは、剛性堰板の下流側に複数個の可撓性袋体が剛性堰板の枢支部に沿わせて配設固定されており、また１つの可撓性袋体が破損しても、残りの可撓性袋体で剛性堰板の起立状態を維持できるので、複数個の可撓性袋体のうちの１つが転石や、流木その他の漂流物の衝突や、袋自体の寿命によって可撓性袋体が破れても、他の残りの可撓性袋体によって剛性堰板の起立状態を維持することできる。したがって、起伏ゲートの意図しない倒伏によって、起伏ゲートの上流側の水が多量に流出して下流側に害をもたらすようなことはない。
【００２７】
また、複数個の可撓性袋体のうちの１つが漂流物の衝突や、袋自体の寿命によって可撓性袋体が破れても、他の残りの可撓性袋体によって剛性堰板の起立状態を維持することできるので、水路を一時遮断して流れを止めることなく、剛性堰板を起立状態としたまま、図１３に示すように、破れた可撓性袋体を新しい可撓性袋体と交換することができる。
【図面の簡単な説明】
【００２８】
【図１】本発明の第１の実施の形態に係る起伏ゲートの起立時の斜視図である。
【図２】起伏ゲートの倒伏時の斜視図である。
【図３】起伏ゲートの起立時の断面図である。
【図４】起伏ゲートの倒伏時の断面図である。
【図５】中空帯状体の斜視図である。
【図６】第１の実施の形態に係る可撓性袋体の側面図である。
【図７】可撓性袋体を固定する他の例を示す断面図である。
【図８】本発明の第２の実施の形態に係る起伏ゲートの起立時の斜視図である。
【図９】第２の実施の形態に係る可撓性袋体の側面図である。
【図１０】取付手段で押さえられた可撓性袋体の斜視図である。
【図１１】可撓性袋体が取付手段で剛性堰板に固定されている状態を示す断面図である。
【図１２】可撓性袋体を固定する他の例を示す断面図である。
【図１３】破れた可撓性袋体を新しい可撓性袋体と交換できること説明する図である。
【符号の説明】
【００２９】
２  剛性堰板
３，１３  可撓性袋体
４  河床コンクリート
５  取付部材
６  枢支部
７  ゴム膜体
８  法面部
１０  台座
１１  アンカーボルト
１２，１５  ナット
１４  ボルト
１７  両端部
１８  接合端部
２１  取付手段
【図１】
2006207132.tif 000003
【図２】
2006207132.tif 000004
【図３】
2006207132.tif 000005
【図４】
2006207132.tif 000006
【図５】
2006207132.tif 000007
【図６】
2006207132.tif 000008
【図７】
2006207132.tif 000009
【図８】
2006207132.tif 000010
【図９】
2006207132.tif 000011
【図１０】
2006207132.tif 000012
【図１１】
2006207132.tif 000013
【図１２】
2006207132.tif 000014
【図１３】
2006207132.tif 000015